【手続補正書】
【提出日】平成18年6月20日(2006.6.20)
【手続補正１】
【補正対象書類名】特許請求の範囲
【補正対象項目名】全文
【補正方法】変更
【補正の内容】
【特許請求の範囲】
【請求項１】
ａ．溶接機、発電機、および圧縮機の構成部品を少なくとも部分的に収容すると共に地上面をハウジングが移動可能とするホイールをもつハウジングと、
ｂ．前記ハウジング内に少なくとも部分的に取り付けられたエンジンと、
ｃ．前記ハウジング内に少なくとも部分的に取り付けられ、かつ前記エンジンに接続されて少なくとも部分的にそれによって駆動される電流発生器と、
ｄ．前記ハウジング内に少なくとも部分的に取り付けられた空気圧縮機と、
ｅ．少なくとも１つの歯車を有するギアボックスを含んでおり、前記空気圧縮機を前記エンジンまたは前記電流発生器に接続するベルトレス且つクラッチレスドライブコネクタと、
を備えてなる携帯一体的溶接機、発電機および圧縮機ユニット。
【請求項２】
前記ハウジング内に少なくとも部分的に取り付けられた空気蓄圧タンクを含み、前記空気蓄圧器が前記空気圧縮機に流体接続されている、請求項１に記載のユニット。
【請求項３】
前記空気圧縮機によって発生する空気圧を監視するために圧力モニタが前記ハウジング上に少なくとも部分的に取り付けられている請求項１又は２に記載のユニット。
【請求項４】
前記圧力モニタが前記空気蓄圧タンクに少なくとも部分的に収容されている請求項２または３に記載のユニット。
【請求項５】
前記ギアボックスが前記空気圧縮機を前記エンジンに接続する、請求項１〜４のいずれか１項に記載のユニット。
【請求項６】
前記ギアボックスが前記空気圧縮機を前記電流発生器に接続する、請求項１〜４のいずれか１項に記載のユニット。
【請求項７】
前記ギアボックスが複数の歯車を含み、前記ギアボックスが単一の歯車比を有する、請求項１〜５のいずれか１項に記載のユニット。
【請求項８】
前記ギアボックスが複数の歯車比を含み、前記歯車比が手動で選択可能である、請求項１〜５のいずれか１項に記載のユニット。
【請求項９】
前記ギアボックスが複数の歯車比を含み、前記歯車比が自動的に選択可能である、請求項１〜５のいずれか１項に記載のユニット。
【請求項１０】
前記ハウジングが溶接装置用の少なくとも１つの電気コンセントおよびエア工具用の少なくとも１つの空気出口を含む、請求項１〜９のいずれか１項に記載のユニット。
【請求項１１】
ａ．少なくとも部分的にハウジング内に取り付けられたエンジンを少なくとも部分的に収容すると共に地上面をハウジングが移動可能とするホイールを有するハウジングを用意するステップと、
ｂ．前記ハウジング内に少なくとも部分的に取り付けられ、かつ前記エンジンに接続されて少なくとも部分的にそれによって駆動される電流発生器を用意するステップと、
ｃ．前記ハウジング内に少なくとも部分的に取り付けられた空気圧縮機を用意するステップと、
ｄ．少なくとも１つの歯車を有するギアボックスを含んでおり、前記空気圧縮機および前記エンジンまたは前記電流発生器に少なくとも部分的に接続されて、少なくとも部分的にそれによって駆動されるベルトレス且つクラッチレスドライブコネクタを用意するステップと、
を含む方法。
【請求項１２】
前記ハウジング内に少なくとも部分的に取り付けられ且つ前記空気圧縮機に流体接続されている空気蓄圧タンクを用意するステップを含む、請求項１１に記載の方法。
【請求項１３】
前記空気圧縮機によって発生する空気圧を監視するために前記ハウジング上に少なくとも部分的に取り付けた圧力モニタを用意するステップを含む請求項１１または１２に記載の方法。
【請求項１４】
前記圧力モニタが前記空気蓄圧タンクに少なくとも部分的に収容されている、請求項１１〜１３のいずれか１項に記載の方法。
【請求項１５】
前記ギアボックスが前記空気圧縮機を前記エンジンに接続する、請求項１１〜１４のいずれか１項に記載の方法。
【請求項１６】
前記ギアボックスが前記空気圧縮機を前記電流発生器に接続する、請求項１１〜１４のいずれか１項に記載の方法。
【請求項１７】
前記ギアボックスが複数の歯車を含み、前記ギアボックスが単一の歯車比を有する、請求項１１〜１６のいずれか１項に記載の方法。
【請求項１８】
前記ギアボックスが複数の歯車比を含み、前記歯車比が手動で選択可能である、請求項１１〜１６のいずれか１項に記載の方法。
【請求項１９】
前記ギアボックスが複数の歯車比を含み、前記歯車比が自動的に選択可能である、請求項１１〜１６のいずれか１項に記載の方法。
【請求項２０】
前記ハウジングが溶接装置用の少なくとも１つの電気コンセントおよびエア工具用の少なくとも１つの空気出口を含む、請求項１１〜１９のいずれか１項に記載の方法。
【請求項２１】
ａ．前記溶接機、発電機、および圧縮機の構成部品を少なくとも部分的に収容するハウジングと、
ｂ．前記ハウジング内に少なくとも部分的に取り付けられたエンジンと、
ｃ．前記ハウジング内に少なくとも部分的に取り付けられ、かつ前記エンジンに接続されて少なくとも部分的にそれによって駆動される電流発生器と、
ｄ．前記ハウジング内に少なくとも部分的に取り付けられた空気圧縮機と、
ｅ．前記空気圧縮機によって発生する空気圧を監視するために前記ハウジングに少なくとも部分的に取り付けられてた圧力モニタと、
ｆ．前記空気圧縮機を前記エンジンに接続するギアボックスを含み、前記エンジンによって前記空気圧縮機を少なくとも部分的に駆動させることを可能にするベルトレス且つクラッチレスコネクタと、
を備えた一体的溶接機、発電機および圧縮機ユニット。
【請求項２２】
前記ギアボックスが複数の歯車を含み、前記ギアボックスが単一の歯車比を有する、請求項２１に記載のユニット。
【請求項２３】
前記ハウジングが溶接装置用の少なくとも１つの電気コンセントおよびエア工具用の少なくとも１つの空気出口を含む、請求項２１または２２に記載のユニット。
【請求項２４】
前記ハウジングが前記ハウジングを地上面で移動させることを可能とするホイールを含む、請求項２１〜２３のいずれか１項に記載のユニット。
【請求項２５】
ａ．少なくとも部分的にハウジング内に取り付けられたエンジンを少なくとも部分的に収容する前記ハウジングを用意し、
ｂ．前記ハウジング内に少なくとも部分的に取り付けられ、かつ前記エンジンに少なくとも部分的に接続されて少なくとも部分的にそれによって駆動される電流発生器を用意し、
ｃ．前記ハウジング内に少なくとも部分的に取り付けられた空気圧縮機を用意し、
ｄ．前記空気圧縮機を前記エンジンに接続するギアボックスを含んでいて、前記エンジンが前記空気圧縮機を少なくとも部分的に駆動させることを可能にするベルトレス且つクラッチレスコネクタを用意し、
ｅ．前記空気圧縮機によって発生する空気圧を監視するために前記ハウジングに少なくとも部分的に取り付けられた圧力モニタを用意し、そして
ｆ．前記エンジンにあって少なくとも部分的に前記空気圧縮機を駆動させる、
ことからなる一体的溶接機から圧縮空気を提供する方法。
【請求項２６】
前記ギアボックスが複数の歯車を含み、前記ギアボックスが単一の歯車比を有する、請求項２５に記載の方法。
【請求項２７】
前記ハウジングが溶接装置用の少なくとも１つの電気コンセントおよびエア工具用の少なくとも１つの空気出口を含む、請求項２５または２６に記載の方法。
【請求項２８】
前記ハウジングが地上面移動可能とするホイールを有する、請求項２５〜２７のいずれか１項に記載の方法。
【請求項２９】
ａ．溶接機、発電機、および圧縮機の構成部品を少なくとも部分的に収容するハウジングと、
ｂ．前記ハウジング内に少なくとも部分的に取り付けられたエンジンと、
ｃ．前記ハウジング内に少なくとも部分的に取り付けられ、かつ前記エンジンに少なくとも部分的に接続されて少なくとも部分的にそれによって駆動される電流発生器と、
ｄ．前記ハウジング内に少なくとも部分的に取り付けられており、少なくとも１つの歯車を有するギアボックスを含むベルトレス駆動コネクタを用いて前記エンジンまたは前記電流発生機によって少なくとも部分的に駆動される空気圧縮機と、
を備えた携帯一体的溶接機、発電機及び圧縮機ユニット。
【請求項３０】
前記ハウジング内に少なくとも部分的に取り付けられた空気蓄圧タンクを含み、前記空気蓄圧器が前記空気圧縮機に流体接続されている、請求項２９に記載のユニット。
【請求項３１】
前記空気圧縮機によって発生する空気圧を監視するための圧力モニタが前記ハウジングに少なくとも部分的に取り付けられている請求項２９または３０に記載のユニット。
【請求項３２】
前記圧力モニタが前記空気蓄圧タンク中に少なくとも部分的に収容されている請求項３０または３１に記載のユニット。
【請求項３３】
前記ハウジングが溶接装置用の少なくとも１つの電気コンセントおよびエア工具用の少なくとも１つの空気出口を含む、請求項２９〜３２のいずれか１項に記載のユニット。
【請求項３４】
前記ギアボックスが前記空気圧縮機を前記エンジンに接続する、請求項２９〜３３のいずれか１項に記載のユニット。
【請求項３５】
前記ギアボックスが前記圧縮機を前記電流発生器に接続する、請求項２９〜３４のいずれか１項に記載のユニット。
【請求項３６】
前記ギアボックスが複数の歯車を含み、前記ギアボックスが単一の歯車比を有する、請求項２９〜３５のいずれか１項に記載のユニット。
【請求項３７】
前記ギアボックスが複数の歯車比を含み、前記歯車比が手動で選択可能である、請求項２９〜３６のいずれか１項に記載のユニット。
【請求項３８】
前記ギアボックスが複数の歯車比を含み、前記歯車比が自動的に選択可能である、請求項２９〜３６のいずれか１項に記載のユニット。
【請求項３９】
ａ．少なくとも部分的にハウジング内に取り付けられたエンジンを少なくとも部分的に収容する前記ハウジングを設けるステップと、
ｂ．前記ハウジング内に少なくとも部分的に取り付けられ、かつ前記エンジンに接続されて少なくとも部分的にそれによって駆動される電流発生器を用意し、
ｃ．前記ハウジング内に少なくとも部分的に取り付けられた空気圧縮機を用意し、そして
ｄ．少なくとも１つの歯車を有するギアボックスを含むベルトレス駆動コネクタを用いて前記エンジンまたは前記電流発生機によって少なくとも部分的に駆動される空気圧縮機を用意する、
ことからなる携帯一体的溶接機から圧縮空気を提供する方法。
【請求項４０】
前記ハウジングに少なくとも部分的に取り付けられており、前記空気圧縮機に流体接続して前記空気圧縮機によって発生する圧縮空気を少なくとも部分的に蓄積する空気蓄圧タンクを用意する工程を含む請求項３９に記載の方法。
【請求項４１】
前記空気圧縮機によって発生する空気圧力を少なくとも部分的に監視するために前記ハウジングに少なくとも部分的に取り付けられた圧力モニタを用意する工程を含む請求項３９または４０に記載の方法。
【請求項４２】
前記圧力モニタが前記空気蓄圧タンクに少なくとも部分的に収容されている請求項４０または４１に記載の方法。
【請求項４３】
前記ギアボックスが前記空気圧縮機を前記エンジンに接続する、請求項３９〜４２のいずれか１項に記載の方法。
【請求項４４】
前記ギアボックスが前記圧縮機を前記電流発生器に接続する、請求項３９〜４２のいずれか１項に記載の方法。
【請求項４５】
前記ギアボックスが複数の歯車を含み、前記ギアボックスが単一の歯車比を有する、請求項３９〜４４のいずれか１項に記載の方法。
【請求項４６】
前記ギアボックスが複数の歯車比を含み、前記歯車比が手動で選択可能である、請求項３９〜４４のいずれか１項に記載の方法。
【請求項４７】
前記ギアボックスが複数の歯車比を含み、前記歯車比が自動的に選択可能である、請求項３９〜４４のいずれか１項に記載の方法。
【請求項４８】
前記ハウジングが溶接装置用の少なくとも１つの電気コンセントおよびエア工具用の少なくとも１つの空気出口を含む、請求項３９〜４７のいずれか１項に記載の方法。